(57)【要約】【課題】従来の画像処理方法及び画像形成装置では、色付き紙原稿を複写する場合、原稿自体の色の影響を受けてしまい、鮮明な画像が得られなかった。【解決手段】本発明の画像処理方法、画像形成方法及び画像形成装置によれば、原稿画像を原稿読み取り部２２で読み取り、色紙検出部２４が読み取られた前記原稿画像から原稿の媒体色を検出し、色紙データ作成部２５及び画像形成部２０が検出された前記媒体色に基づいて、記録媒体に印刷して色紙を作成し、作成された前記色紙に、階調パッチデータを印刷し、前記階調パッチデータが印刷された前記色紙上の前記階調パッチを読み取り、前記色紙上階調パッチ読み取り結果に基づいて、読み取られた前記原稿画像を補正するようにしている。これにより、色付き紙原稿媒を読み取って、画像形成する場合、原稿自体の媒体色の影響を受けずに、鮮明な画像を得ることができる。【選択図】図１
2014049836.tif 000002
【特許請求の範囲】
【請求項１】
原稿画像を読み取る原稿読み取りステップと、
読み取られた前記原稿画像から原稿の媒体色を検出する媒体色検出ステップと、
検出された前記媒体色に基づいて記録媒体に印刷して色紙を作成する色紙印刷ステップと、
作成された前記色紙に、階調パッチデータを印刷する階調パッチ印刷ステップと、
前記階調パッチデータが印刷された前記色紙上の前記階調パッチを読み取る色紙上階調パッチ読み取りステップと、
前記色紙上階調パッチ読み取りステップにおける読み取り結果に基づいて、前記原稿読み取りステップで読み取った前記原稿画像を補正する補正ステップと、
を有することを特徴とする画像処理方法。
【請求項２】
前記原稿読み取りステップは、
原稿上に形成された複数の画素からなる前記原稿画像を読み取り、前記原稿画像における前記画素の位置と、前記位置に対応する前記画素の階調を表す階調パッチと、を有する階調パッチデータを生成し、
前記媒体色検出ステップは、
前記階調パッチデータから前記原稿の媒体色を検出し、
前記色紙印刷ステップは、
前記媒体色に基づいて色紙データを作成し、作成された前記色紙データに基づいて記録媒体上に前記媒体色を印刷し、
前記階調パッチ印刷ステップは、
前記媒体色が印刷された前記記録媒体に前記階調パッチデータに基づいて前記複数の画素を印刷し、
前記階調パッチ読み取りステップは、
前記媒体色及び前記階調パッチデータが印刷された前記記録媒体上の前記階調パッチデータを読み取り、
前記補正ステップは、
前記階調パッチデータと、前記記録媒体上に印刷された前記階調パッチの読み取り画像とに基づいて、前記原稿におけるパッチ位置と前記パッチ位置の値との対応関係を表すターゲット値テーブルを作成し、
前記階調パッチデータと、前記記録媒体上に印刷された前記階調パッチの読み取り画像とに基づいて、前記階調パッチ読み取りステップにより読み取られた前記階調パッチデータにおける前記パッチ位置と前記パッチ位置におけるＬａｂ値との対応関係を表す階調パッチテーブルを作成し、
前記ターゲット値テーブル及び前記階調パッチテーブルに基づいて、前記原稿画像を補正して色補正原稿画像を作成することを特徴とする請求項１記載の画像処理方法。
【請求項３】
請求項２記載の画像処理方法は、更に、
前記媒体色検出ステップにおいて検出された前記媒体色に一致する前記色紙プロファイルが存在するか否かを判定して、判定結果を求める媒体色判定ステップと、
前記判定結果が、前記色紙プロファイルが存在する場合には、前記色紙プロファイルから前記媒体色に一致する前記ターゲット値テーブル及び前記階調パッチテーブルを取得して、前記色紙補正ステップへ進む色紙プロファイル取得ステップと、
前記判定結果が、前記色紙プロファイルが存在しない場合には、前記色紙データ作成ステップに進み、前記色紙印刷ステップと、前記階調パッチ印刷ステップと、前記階調パッチ読み取りステップと、前記ターゲット値テーブル作成ステップと、前記階調パッチテーブル作成ステップと、を順次実行し、
前記階調パッチテーブル作成ステップの後に、前記媒体色と、前記ターゲット値テーブル及び前記階調パッチテーブルと、を関連づけて色紙プロファイルとして保存し、前記色紙補正ステップへ進む色紙プロファイル保存ステップと、
を有することを特徴とする画像処理方法。
【請求項４】
原稿画像を読み取る原稿読み取りステップと、
読み取られた前記原稿画像から原稿の媒体色を検出する媒体色検出ステップと、
検出された前記媒体色に基づいて記録媒体に印刷して色紙を作成する色紙印刷ステップと、
作成された前記色紙に、階調パッチデータを印刷する階調パッチ印刷ステップと、
前記階調パッチデータが印刷された前記色紙上の前記階調パッチを読み取る色紙上階調パッチ読み取りステップと、
前記色紙上階調パッチ読み取りステップにおける読み取り結果に基づいて、前記原稿読み取りステップで読み取った前記原稿画像を補正する補正ステップと、
前記色補正原稿に基づいて新たな記録媒体上に画像を印刷する画像形成ステップと、
を有することを特徴とする画像形成方法。
【請求項５】
前記原稿読み取りステップは、
原稿上に形成された複数の画素からなる原稿画像を読み取り、前記原稿画像における前記画素の位置と、前記位置に対応する前記画素の階調を表す階調パッチと、を有する階調パッチデータを生成し、
前記媒体色検出ステップは、
前記階調パッチデータから前記原稿の媒体色を検出し、
前記色紙印刷ステップは、
前記媒体色に基づいて色紙データを作成し、作成された前記色紙データに基づいて記録媒体ＫＢ上に前記媒体色を印刷し、
前記階調パッチ印刷ステップは、
前記媒体色が印刷された前記記録媒体に前記階調パッチデータを印刷し、
前記階調パッチ読み取りステップは、
前記媒体色及び前記階調パッチデータが印刷された記録媒体上の階調パッチデータを読み取り、
前記補正ステップは、
前記階調パッチデータと、前記記録媒体上に印刷された前記階調パッチの読み取り画像に基づいて、前記原稿におけるパッチ位置と前記パッチ位置のＬａｂ値との対応関係を表すターゲット値テーブルを作成し、
前記階調パッチデータと、前記記録媒体上に印刷された前記階調パッチの読み取り画像に基づいて、前記階調パッチ読み取りステップにより読み取られた前記パッチデータにおける前記パッチ位置と前記パッチ位置におけるＬａｂ値の対応関係を示す階調パッチテーブルを作成し、
前記原稿読み取りステップで読み取られた前記原稿画像を補正して色補正原稿画像を作成することを特徴とする請求項４記載の画像形成方法。
【請求項６】
請求項５記載の画像形成方法は、更に、
前記媒体色検出ステップにおいて検出された前記媒体色に一致する前記色紙プロファイルが存在するか否かを判定して、判定結果を求める媒体色判定ステップと、
前記判定結果が、前記色紙プロファイルが存在する場合には、前記色紙プロファイルから前記媒体色に一致する前記ターゲット値テーブル及び前記階調パッチテーブルを取得して、前記色紙補正ステップへ進む色紙プロファイル読み出しステップと、
前記判定結果が、前記色紙プロファイルが存在しない場合には、前記色紙データ作成ステップへ進み、前記色紙印刷ステップと、前記階調パッチ印刷ステップと、前記階調パッチ読み取りステップと、前記ターゲット値テーブル作成ステップと、前記階調パッチテーブル作成ステップと、を順次実行し、
前記階調パッチテーブル作成ステップの後に、前記媒体色と、前記ターゲット値テーブル及び前記階調パッチテーブルと、を関連づけて色紙プロファイルとして保存し、前記色紙補正ステップへ進む色紙プロファイル保存ステップと、
を有することを特徴とする画像形成方法。
【請求項７】
原稿画像を読み取る原稿読み取り部と、
階調パッチデータを保存するデータ保存部と、
読み取った前記原稿画像から原稿の媒体色を検出する色紙検出部と、
検出された前記媒体色を用いて色紙データを作成する色紙データ作成部と、
作成された前記色紙データ又は前記階調パッチデータを印刷する画像形成部と、
前記色紙データと前記階調パッチデータとが印刷された前記階調パッチの読み取り画像に基づいて、前記読み取った原稿画像を補正する色紙補正部と、
を備えたことを特徴とする画像処理装置。
【請求項８】
前記原稿読み取り手段は、
原稿上に形成された、複数の画素からなる前記原稿画像を読み取り、前記原稿画像における前記画素の位置と、前記位置に対応する前記画素の階調を表す階調パッチと、を有する階調パッチデータを生成し、
前記データ保存部は、前記階調パッチデータを保存し、
前記媒体色検出手段は、生成された前記階調パッチデータから前記原稿の媒体色を検出し、
前記色紙データ作成手段は、検出された前記媒体色に基づいて色紙データを作成して出力し、
前記画像形成部は、前記色紙データに基づいて記録媒体上に前記媒体色を印刷し、前記階調パッチデータに基づいて前記媒体色が印刷された前記記録媒体上に前記複数の画素を印刷し、
前記色紙補正部は、前記階調パッチデータと、前記記録媒体上に印刷された前記階調パッチの読み取り画像とに基づいて、前記原稿におけるパッチ位置と、前記パッチ位置のＬａｂ値との対応関係を表すターゲット値テーブルと、読み取られた前記パッチ位置と前記パッチ位置におけるＬａｂ値の対応関係を示す階調パッチテーブルと、を作成して、前記原稿画像を補正して色補正原稿画像を作成して出力することを特徴とする請求項８記載の画像処理装置。
【請求項９】
請求項８記載の画像処理装置は、更に、
検出された前記媒体色と、前記ターゲット値テーブル及び前記階調パッチテーブルと、を関連づけて色紙プロファイルとして保存する色紙プロファイル保存手段を備え、
前記色紙補正部は、前記原稿読み取り手段により読み取られた前記原稿の前記媒体色が、前記色紙プロファイル保存手段に保存された前記媒体色と一致する場合には、前記色紙プロファイル保存部から、前記媒体色に一致する前記ターゲット値テーブル及び前記階調パッチテーブルを取得して、前記原稿画像を補正して色補正原稿画像を生成することを特徴とする画像形成装置。
【発明の詳細な説明】
【技術分野】
【０００１】
本発明は、色付き紙原稿を複写する際に、原稿自体の色の影響を除いた色補正原稿画像を作成する画像処理方法と、この画像処理方法を用いて作成された色補正原稿画像を用いて用紙等の記録媒体に画像を印刷する画像形成方法及び画像形成装置とに関するものである。
【背景技術】
【０００２】
従来、例えば、下記特許文献１には、複数の機能を備えた画像処理装置が記載されている。この画像処理装置において、画像処理方法及び画像形成方法に、利便性、及び省エネルギー化を向上させるための工夫がされている。
【先行技術文献】
【特許文献】
【０００３】
【特許文献１】特開２０１０−２７３０６８号公報
【発明の概要】
【発明が解決しようとする課題】
【０００４】
しかしながら、従来の画像処理方法、画像形成装置及び画像処理装置では、色付き紙原稿に印刷された原稿画像を複写する場合、原稿自体の色の影響を受けてしまい、鮮明な画像が得られなかった。
【課題を解決するための手段】
【０００５】
本発明の内の第１発明の画像処理方法は、原稿画像を読み取る原稿読み取りステップと、読み取られた前記原稿画像から原稿の媒体色を検出する媒体色検出ステップと、検出された前記媒体色に基づいて記録媒体に印刷して色紙を作成する色紙印刷ステップと、作成された前記色紙に、階調パッチデータを印刷する階調パッチ印刷ステップと、前記階調パッチデータが印刷された前記色紙上の前記階調パッチを読み取る色紙上階調パッチ読み取りステップと、前記色紙上階調パッチ読み取りステップにおける読み取り結果に基づいて、前記原稿読み取りステップで読み取った前記原稿画像を補正する補正ステップと、を有することを特徴とする。
【０００６】
第２発明の画像形成法は、上記画像処理方法の各ステップに加え、前記色補正原稿に基づいて新たな記録媒体上に画像を印刷する画像形成ステップを有することを特徴とする。
【０００７】
第３発明の画像形成装置は、原稿画像を読み取る原稿読み取り部と、階調パッチデータを保存するデータ保存部と、読み取った前記原稿画像から原稿の媒体色を検出する色紙検出部と、検出された前記媒体色を用いて色紙データを作成する色紙データ作成部と、作成された前記色紙データ又は前記階調パッチデータを印刷する画像形成部と、前記色紙データと前記階調パッチデータとが印刷された前記階調パッチの読み取り画像に基づいて、前記読み取った原稿画像を補正する色紙補正部と、を備えたことを特徴とする。
【発明の効果】
【０００８】
本発明の画像処理方法、画像形成方法及び画像形成装置によれば、原稿画像を読み取り、読み取られた前記原稿画像から原稿の媒体色を検出し、検出された前記媒体色に基づいて記録媒体に印刷して色紙を作成し、作成された前記色紙に、階調パッチデータを印刷し、前記階調パッチデータが印刷された前記色紙上の前記階調パッチを読み取り、前記色紙上階調パッチ読み取り結果に基づいて、読み取られた前記原稿画像を補正するようにしている。これにより、色付き紙原稿に印刷された原稿画像を複写する場合、原稿自体の色の影響を受けずに、鮮明な画像を得ることができる。
【図面の簡単な説明】
【０００９】
【図１】図１は本発明の実施例１における画像形成装置の構成の概略を示すブロック図である。
【図２】図２は本発明の実施例１における画像形成装置１０の外観を説明する斜視図である。
【図３】図３は図２中のオペレーションパネル１６の印刷項目設定画面の例を示す図である。
【図４】図４は図１中のターゲット値テーブル２３ｂと階調パッチテーブル２３ｃの例を示す図である。
【図５】図５は図１及び図２に示された画像形成装置１０における画像形成方法の処理を示すフローチャートである。
【図６】図６は図５のフローチャートの処理の詳細を説明するための図である。
【図７】図７は図１中の紙色検出部２４における紙色検出の処理を示すフローチャートである。
【図８】図８は図１中の色紙データ作成部２５における色紙領域の抽出処理を説明する図である。
【図９】図９は階調パッチの設定値及び測定値を説明する図である。
【図１０】図１０は図１中の色紙補正部２７における色紙原稿を補正する処理を示すフローチャートである。
【図１１】図１１は図１０のフローチャートにおける色紙プロファイルの作成方法を説明するための図である。
【図１２】図１２は本発明の実施例２における画像形成装置１０Ａの構成の概略を示すブロック図である。
【図１３】図１２は図１２中の色紙プロファイル２８ａの例を示す図である。
【図１４】図１４は本実施例２における画像処理を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における画像形成装置１０の外観を説明する斜視図である。
【００１２】
画像形成装置１０は、例えば、複合機であり、画像読み取り装置としてのスキャナ１１を備え、このスキャナ１１を搭載した下部には、プリンタである画像形成部２０を備えている。
【００１３】
スキャナ１１は、複数の画素が原稿Ｇ上に印刷されて形成された原稿画像を読み取るものであり、このスキャナ１１には載置台が配設されている。載置台１２は、原稿Ｇを読み取るために載置する台であり、この載置台１２には、ガラス等の透明板１２ａが嵌め込められている。この透明板１２ａの内部には、原稿読み取り部を構成するイメージセンサ１３が設けられている。
【００１４】
イメージセンサ１３は、載置台１２に置かれた原稿Ｇに光を照射して原稿面に印刷された原稿画像を読み取るものであり、載置台１２の上部には開閉自在な載置台カバー１４が設けられている。載置台カバー１４は、載置台１２に載置された原稿Ｇの位置を固定し、イメージセンサ１３から光が照射されたときに載置台１２上の原稿Ｇ以外の領域への光漏れを防止するためのものである。更に、載置台カバー１４の上部には、自動原稿給送装置１５が配設されている。自動原稿給送装置１５は、原稿載置部１５ａに置かれた原稿Ｇを、イメージセンサ１３に当接する部分を通って原稿排出部１５ｂへ自動で給送するものである。自動原稿給送装置１５によりイメージセンサ１３に当接する部分に送られた原稿Ｇ上の原稿画像は、イメージセンサ１３により読み取られるようになっている。
【００１５】
スキャナ１１の前面には、オペレーションパネルが配設されている。オペレーションパネル１６は、ユーザが画像形成装置１０の機能を選択して操作するための入力手段である。このオペレーションパネル１６は、タッチパネルを兼ねた液晶ディスプレイ１６ａ、読み取りモードの選択キー１６ｂ及び開始ボタン１６ｃを有している。開始ボタン１６ｃは、原稿Ｇからの原稿画像の読み取り開始の操作を指示するボタンである。
【００１６】
画像形成部２０は、スキャナ１１で原稿Ｇから読み取られた原稿画像を印刷するものである。画像形成部２０にパーソナルコンピュータ（以下「ＰＣ」という。）が接続された場合には、画像形成部２０は、接続されたＰＣから入力される印刷データに基づいて印刷するものである。画像形成部２０の下部には、用紙等の記録媒体ＫＢを収納するカセット２１が配設されている。
【００１７】
図３（ａ）、（ｂ）は、図２中のオペレーションパネル１６の印刷項目設定画面の例を示す図である。図３（ａ）はユーザが原稿Ｇを複写する場合の印刷設定画面３０であり、図３（ｂ）は色紙補正ガイド画面３１を表している。
【００１８】
印刷設定画面３０は、基本設定３０ａ、画質設定３０ｂ、及び詳細設定３０ｃの３つの設定画面から選択できるようになっている。図３（ａ）には、印刷設定画面３０の内の基本設定３０ａの画面が示されている。印刷設定画面３０における基本設定３０ａの画面には、用紙サイズ３０ｄ、印刷方向３０ｅ、給紙方法３０ｆ、両面印刷３０ｇ、綴じ指定３０ｈ、及び色紙補正指定欄３０ｉの印刷を実行するための選択項目と、選択した項目を確認する印刷設定確認ボタン３０ｊと、選択した項目を取り消すキャンセルボタン３０ｋとが表示されている。
【００１９】
ユーザが図３（ａ）の印刷設定画面３０上の色紙補正指定欄３０ｉにチェックを入れて、印刷設定確認ボタン３０ｊを押すと、オペレーションパネル１６の表示が、図３（ｂ）の色紙補正ガイド画面３１に切り換わる。
【００２０】
図３（ｂ）の色紙補正ガイド画面３１には、色紙補正処理を指定する項目が表示されている。色紙補正ガイド画面３１は、色紙補正するための各ステップの開始の指示する画面であり、上から下に、色紙原稿読み取りボタン３１ａ、色紙作成ボタン３１ｂ、階調パッチ作成ボタン３１ｃ、色紙補正ボタン３１ｄの各ボタンが配列されている。
【００２１】
色紙原稿読み取りボタン３１ａはスキャナ１１の載置台１２にセットされた原稿Ｇを読み取らせるボタンである。色紙作成ボタン３１ｂは読み取った原稿画像から原稿Ｇの紙の媒体色を検出して、検出された媒体色を白紙等の記録媒体ＫＢに印刷させる処理を実行させるボタンである。階調パッチ作成ボタン３１ｃは媒体色が印刷されて色の付いた記録媒体ＫＢに階調パッチを印刷させる処理を実行させるボタンである。色紙補正ボタン３１ｄは色紙補正処理を実行させるボタンである。
【００２２】
ユーザがステップボタン３１ａ〜３１ｄを順々に押すと、ボタンの右側に操作ガイドが表示され、ユーザがそれに従って操作すると色紙補正できるようになっている。
【００２３】
図１は、本発明の実施例１における画像形成装置の構成の概略を示すブロック図である。
オペレーションパネル１６は、画像形成装置１０における各種印刷設定や色紙補正の操作を行うものである。原稿読み取り手段としての原稿読み取り部２２は、スキャナ１１の載置台１２にセットされた原稿Ｇからイメージセンサ１３により原稿画像を読み取るものである。データ保存部２３は、原稿読み取り部２２で読み取った原稿画像２３ａ、事前に決めた前記原稿Ｇにおけるパッチ位置と前記パッチ位置のＬａｂ値との対応関係を表すターゲット値テーブル２３ｂ、及び読み取られたパッチ位置とパッチ位置におけるＬａｂ値の対応関係を示す階調パッチテーブル２３ｃ等を保存するものである。
【００２４】
紙色検出部２４は、データ保存部２３に保存されている原稿画像を読み出してそこから原稿Ｇ自体の媒体色を検出するものである。色紙データ作成部２５は、紙色検出部２４で検出された媒体色を用いて色紙データを作成するものである。画像形成部２０は、色紙データ作成部２５で作成した色紙データ及びデータ保存部２３で保存されている階調パッチデータを用紙等の記録媒体ＫＢ上に印刷するものである。色紙補正部２７は、データ保存部２３に保存されている原稿画像及び階調パッチデータと、色紙データと階調パッチデータが印刷された記録媒体ＫＢから、原稿読み取り部２２により読み取られた画像と、を用いて色補正原稿画像を生成して出力するものである。更に、画像形成部２０は、色紙データ及び階調パッチデータが印刷された記録媒体ＫＢ上に、色紙補正部２７から入力される色補正原稿画像を印刷するものである。
【００２５】
図４（ａ），（ｂ）は、図１中のターゲット値テーブル２３ｂ及び階調パッチテーブル２３ｃの例を示す図である。
【００２６】
ターゲット値テーブル２３ｂ及び階調パッチテーブル２３ｃは、色紙補正部２７により、作成され、データ保存部２３に一時記憶されるものである。ターゲット値テーブル２３ｂは、原稿Ｇにおける位置を表す番号１，２，・・・、Ｎと、番号１〜Ｎに対応するＬａｂ値より構成されている。階調パッチテーブル２３ｃは、原稿Ｇにおける位置を表す番号Ｎ＋２，Ｎ＋３、・・・、２Ｎ＋１と、番号Ｎ＋２〜２Ｎ＋１に対応するＬａｂ値より構成されている。ここで、Ｌａｂ値とは、明度を意味する次元Ｌと、補色を意味する次元ａ及びｂとから構成される色空間における値である。同じく色空間を構成するＲＧＢ及びＣＭＹＫと、Ｌａｂ値との関係は後述する。
【００２７】
（実施例１の画像形成方法）
図５は、図１及び図２に示された画像形成装置における画像形成方法の処理を示すフローチャートである。
【００２８】
図５のフローチャートにおいて、ステップＳＴ１〜ＳＴ９が画像処理方法の処理であり、ステップＳＴ１〜ＳＴ９に、ステップＳＴ１０を加えた処理が画像形成方法の処理を表している。
【００２９】
図５の処理が開始されると、ステップＳＴ１へ進む。ステップＳＴ１において、ユーザが、色の付いた用紙に印刷された原稿（以下「色紙原稿」という。）ＩＧをスキャナ１１の載置台１２にセットし、図３（ａ）の印刷設定画面３０で色紙補正３０ｉにチェックを入れ、印刷設定確認ボタン３０ｊを押すと、オペレーションパネル１６に図３（ｂ）の色紙補正ガイド画面３１に切り替わる。ユーザが図３（ｂ）の中の色紙原稿読取ボタン３１ａを押し、更に、開始ボタン１６ｃを押すと、オペレーションパネル１６は原稿読み取り部２２に原稿読み取り命令を送る。原稿読み取り部２２は、原稿読み取り命令を受け取って色紙原稿ＩＧを読み取り、読み取った原稿画像ＧＧをデータ保存部２３に送る。データ保存部２３は、読み取られた原稿画像ＧＧを受け取って保存し、オペレーションパネル１６に原稿読み取り終了コマンドを送る。オペレーションパネル１６は原稿読み取り終了コマンドを受け取って図３（ｂ）の色紙作成ボタン３１ｂの右側に「色紙作成ボタンを押してください」というガイド文章を表示し、ステップＳＴ２へ進む。
【００３０】
ステップＳＴ２において、ユーザがステップＳＴ１で図３の色紙補正ガイド画面３１に表示されたガイド文字を参照し、色紙作成ボタン３１ｂを押すと、オペレーションパネル１６は紙色検出部２４に紙色検出命令を送る。紙色検出部２４は、紙色検出命令を受け取って、データ保存部２３から読み取った原稿画像ＧＧを取得し、そこから媒体色を算出する。算出された媒体色を色紙データ作成部２５に送り、ステップＳＴ３へ進む。
【００３１】
ステップＳＴ３において、色紙データ作成部２５は、ステップＳＴ２にて算出した媒体色を取得し、印刷サイズに合せて色紙画像を作成し、画像形成部２６へ送る。例えば、印刷サイズはＡ４であれば、解像度が３００ｄｐｉの２４８０×３５０８の画像を作り、画像中の全ての画素の色値に取得した媒体色の画素値を与え、色紙データを生成し、ステップＳＴ４へ進む。
【００３２】
ステップＳＴ４において、画像形成部２６は、ステップＳＴ３において作成された色紙データを取得して印刷し、オペレーショシパネル１６に色紙印刷終了コマンドを送り、ステップＳＴ５へ進む。ステップＳＴ５において、オペレーションパネル１６は、ステップＳＴ４において送られた色紙印刷終了コマンドを受け取り、図３（ｂ）の階調パッチ作成ボタンの右側に「色紙をカセットにセットし、階調パッチ作成ボタンをおしてください。階調パッチの印刷された色紙を、再度スキャンしてください」というガイド文章を表示させる。ユーザがこれを参照して、ステップＳＴ４で出力された媒体色が印刷された記録媒体ＫＢをカセット２１にセットし、階調パッチ作成ボタンを押すと、オペレーションパネル１６はデータ保存部２３に保存されている階調パッチデータを取得し、画像形成部２６に送る。画像形成部２６は、階調パッチデータを受け取ってステップＳＴ４でカセット２１にセットされた媒体色の記録媒体ＫＢに印刷し、階調パッチ原稿を作成し、ステップＳＴ６へ進む。
【００３３】
ステップＳＴ６において、ユーザが、ステップＳＴ５にて印刷された階調パッチ原稿を受け取り、スキャナの載置台１２にセットし、開始ボタン１６ｃを押すと、オペレーションパネル１６は、原稿読み取り部２２に読み取り命令を送る。原稿読み取り部２２は、命令を受けて階調パッチ原稿を読み取り、データ保存部２３に送る。データ保存部２３は、読み取った階調パッチ原稿画像を保存し、オペレーションパネル１６に階調パッチ原稿を読み取ったコマンドを送り、ステップＳＴ７へ進む。
【００３４】
ステップＳＴ７において、階調パッチデータ及び記録媒体ＫＢ上に印刷された階調パッチの読み取り画像に基づいて、事前に決めた前記原稿Ｇにおけるパッチ位置と前記パッチ位置のＬａｂ値との対応関係を表すターゲット値テーブル２３ｂを作成し、ステップＳＴ８へ進む。ステップＳＴ８において、階調パッチデータ及び記録媒体上に印刷された階調パッチの読み取り画像に基いて、読み取られたパッチ位置とパッチ位置におけるＬａｂ値の対応関係を示す階調パッチテーブル２３ｃを作成し、ステップＳＴ９へ進む。
【００３５】
ステップＳＴ９において、オペレーションパネル１６は、階調パッチ原稿を読み取ったコマンドを受け取り、図３（ｂ）の色紙補正ボタンの右側に「色紙補正ボタンを押してください」というガイド文章を表示させる。ユーザがこれを見て色紙補正ボタン３１ｄを押すと、オペレーションパネル１６は、色紙補正部２７に色紙補正命令を送る。色紙補正部２７は、色紙補正命令を受け取り、データ保存部２３で保存されている階調パッチデータ及び色紙に印刷された階調パッチの読み取りデータを取得し、それに基づいて階調パッチのターゲット値テーブル２３ｂ及び階調パッチテーブル２３ｃを作成し、ターゲット値テーブル２３ｂ及び階調パッチテーブル２３ｃに基づいて、原稿読み取り部２２で読み取った色紙原稿画像を補正して色補正原稿画像を生成して画像形成部２６へ出力し、ステップＳＴ１０へ進む。
【００３６】
ステップＳＴ１０において、画像形成部２６は、ステップＳＴ９で補正された色補正原稿画像をカセット２１にセットされた記録媒体ＫＢ上に印刷して、印刷排出部２９へ出力する。
【００３７】
図６（ａ）〜（ｃ）は、図５のフローチャートの処理の詳細を説明するための図である。図６（ａ）は図５のステップＳＴ１〜ＳＴ４に相当し、色紙原稿をスキャナ１１にセットする所から色紙ＣＰを作成するまでの処理を表す。図６（ｂ）は図５のフローチャートのステップＳＴ５〜ＳＴ６のステップに相当し、階調パッチデータを図６（ａ）で印刷した色紙ＣＰに印刷させる処理を表す。更に、図６（ｃ）は図５のフローチャートのステップＳＴ７〜ＳＴ１０のステップに相当し、読み取った色紙原稿ＩＧに色紙補正をかけて印刷するまでの処理を表している。
【００３８】
図６（ａ）において、ステップＳＴ１ａで載置台１２に色紙原稿ＩＧが置かれると、ステップＳＴ１ｂでスキャナ１１におけるイメージセンサ１３により色紙原稿ＩＧの原稿画像が読み取られ、ステップＳＴ２で色紙原稿ＩＧの赤緑青の階調値を表すＲＧＢ値が読み取られる。ステップＳＴ３ａで読み取られたＲＧＢ値に基づいて背景を識別し、ステップＳＴ３ｂで色紙データとして色紙原稿ＩＧの媒体色のＲＧＢ値を算出し、ステップＳＴ３ｃで算出されたＲＧＢ値がスキャナ１１のプロファイルにより、ステップＳＴ３ｄで紙色のＬａｂ値に変換される。ステップＳＴ４ａでプリンタ２０のプロファイルにより、ステップＳＴ４ｂで紙色のＣＭＹＫ値に変換され、ステップＳＴ４ｃでプリンタ２０により紙色のＣＭＹＫ値により白色の記録媒体ＫＢに媒体色が印刷され色紙ＣＰとなる。
【００３９】
図６（ｂ）において、ステップＳＴ５ａにおける階調プロファイルは、ステップＳＴ５ｂのプリンタ２０のプロファイルにより、ステップＳＴ５ｃで階調パッチのＣＭＹＫ値に変換される。ステップＳＴ５ｄで、ステップＳＴ４ｄにおいて媒体色が印刷された記録媒体ＫＢ上に階調パッチのＣＭＹＫ値が印刷され、ステップＳＴ５ｅで色紙ＣＰ上に階調パッチ原稿が作成される。
【００４０】
ステップＳＴ６ａで、載置台１２にセットされた色紙ＣＰ上の階調パッチ原稿は、スキャナ１１により、ステップＳＴ６ｂで色紙ＣＰ上の階調パッチのＲＧＢ値として読み取られ、ステップＳＴ６ｃのスキャナ１１のプロファイルとされ、ステップＳＴ６ｄで色紙ＣＰ上の階調パッチのＬａｂ値に変換される。
【００４１】
図６（ｃ）において、ステップＳＴ７，ＳＴ８において、ステップＳＴ５ａにおける階調パッチのプロファイルとステップＳＴ６ｄにおける色紙上の階調パッチのＬａｂ値に基づき、ターゲット値テーブル２３ｂ及び階調パッチテーブル２３ｃが作成される。ステップＳＴ９ａにおける色紙原稿のＲＧＢ値は、ステップＳＴ９ｂのスキャナ１１のプロファイルにより、ステップＳＴ９ｃで色紙原稿ＩＧのＬａｂ値に変換される。
【００４２】
ステップＳＴ９ｄにおいて、ステップＳＴ７，ＳＴ８において作成されたターゲット値テーブル２３ｂ及び階調パッチテーブル２３ｃと、ステップＳＴ９ｃにおいて作成された色紙原稿ＩＧのＬａｂ値に基づき、色紙ＣＰのプロファイルにより、ステップＳＴ９ｅで、補正後の色紙原稿ＩＧのＬａｂ値に変換される。ステップＳＴ９ｆにおけるプリンタ２０のプロファイルにより、ステップＳＴ９ｇで紙色のＣＭＹＫ値に変換される。
【００４３】
ステップＳＴ１０ａにおいて、プリンタ２０により、記録媒体ＫＢ上に紙色のＣＭＹＫ値が印刷され、ステップＳＴ１０ｂで、補正後の色紙原稿が印刷排出部２９へ出力される。
【００４４】
図７は、図１中の紙色検出部２４における紙色検出の処理を示すフローチャートである。図８（ａ）〜（ｄ）は、図１中の色紙データ作成部２５における色紙領域の抽出処理を説明する図である。図８（ａ）は色紙原稿ＩＧを読み取った画像、図８（ｂ）は図８（ａ）の画像を横方向に５分割した図、図８（ｃ）は図８（ｂ）中の２番目ラインの輝度分布を表す図、及び図８（ｄ）は原稿領域から１ライン分の画素の取得を説明する図である。
【００４５】
図８を参照しつつ、図７に沿って紙色検出の処理について説明する。
紙色検出部２４の処理が開始されると、ステップＳＴ１１へ進む。ステップＳＴ１１において、紙色検出部２４は、データ保存部２３から色紙原稿画像２３ａを取得する。データ保存部２３から取得された色紙原稿画像２３ａが図８（ａ）に表されている。色紙原稿ＩＧをスキャナ１１の載置台１２にセットするとき、位置ずれによって図８（ａ）のように読み取った画像の辺縁に原稿が傾いている場合がある。
【００４６】
ステップＳＴ１２において、ステップＳＴ１１にて取得した色紙原稿画像２３ａから原稿領域を判断する。例えば、図８（ｂ）で表したように、図８（ａ）の色紙原稿画像２３ａに対して５本の縦ラインＬ１〜Ｌ５を引いて横方向に５分割する。画像の一番左側の辺縁線を含めて５本のライン上の輝度分布を求める。図８（ｃ）は図８（ｂ）の中に２番目のラインＬ２の輝度分布を表し、横軸は画像のＹ方向における位置を表し、縦軸はラインＬ２上の各位置の画素の輝度値を表している。
【００４７】
図８（ｃ）において、輝度分布から最初に輝度が下がる領域を見つけて画像中原稿の境界線としてその位置を記録する。同じように５本のラインから５本の境界線上の点を見つける。見つけた５つ点から画像の辺縁と一番離れる二点を選択し、原稿の境界線を引く。図８（ｄ）で１と２番目の点を通してラインを引く。
【００４８】
ステップＳＴ１３において、ステップＳＴ１１で判断した原稿領域から原稿の辺縁部を色紙領域として取得する。図８（ｄ）でＹ方向に原稿Ｇの境界線以下の領域に対して画像の辺縁と一番離れる点から１ライン分の画素を取得する。図８（ｄ）の中の１番目の点Ｐ１から斜め線の模様の領域（即ち、辺縁部）Ｈの画素を取得する。
【００４９】
ステップＳＴ１４において、ステップＳＴ１３で取得した辺縁部Ｈの画素を用いて紙色を算出する。図８（ｄ）の辺縁部Ｈの画素のＬａｂ値の平均値を求めて紙色のＬａｂ値として記録する。
【００５０】
図９（ａ）〜（ｄ）は、階調パッチの設定値及び測定値を説明する図であり、同図（ａ）はＬａｂの３次元色空間と中心位置（Ｘｉ，Ｙｊ）のパッチのＬａｂ値を説明する図であり、同図（ｂ）は階調パッチのＣＭＹＫ値を示す図であり、同図（ｃ）は色紙上の階調パッチを示す図であり、同図（ｄ）は色紙上の階調パッチを示す図である。
【００５１】
図９（ａ）には、ａ値軸、ｂ値軸及びＬ値軸が直交して構成されたＬａｂ値の３次元色空間が表されている。Ｌａｂ値の３次元色空間には、ａ値軸とｂ値軸とにより構成される平面と平行な平面上に、Ｌ値軸上に中心がある円Ｅがあるものとする。この円Ｅの周上には、スキャナ１１で原稿Ｇを読み取る際の光の３原色である赤緑青（ＲＧＢ）及び記録媒体ＫＢに画像を形成する際の現像剤色のシアン（Ｃ）、マゼンタ（Ｍ）、イエロー（Ｙ）の３点が存在し、現像剤色のブラック（Ｋ）は彩度及び明度がないため、Ｌａｂ値の３次元色空間の原点の位置に存在する。
【００５２】
図９（ｂ）は、図９（ａ）の色空間でサンプリングした階調パッチの例を示し、各階調パッチのＣＭＹＫ値も示している。そのＣＭＹＫ値を見たら横方向に階調パッチのＹ値を１５％間隔でサンプリングされ、縦方向に階調パッチのＭ値を１５％間隔でサンプリングすることが分かる。ＣＭＹＫ値のサンプリング間隔によってサンプリングした階調パッチの数を求める。例えば、ＣＭＹＫの各チャンネルに２０％間隔でサンプリングした場合、６４個の階調パッチが求められる。
【００５３】
図９（ｃ）は、階調パッチを１ページの画像にまとめたときのイメージ図を表し、画像の左上の端点の座標値を（０，０）とし、１行目の３番目の階調パッチの中心位置の座標値が(Ｘｉ，Ｙｊ)とし、ｉは階調パッチの横方向での順番を表し、ｊは階調パッチの縦方向での順番を表している。
【００５４】
図９（ｄ）は、決定した階調パッチを色紙に印刷したイメージを表わしており、紙色の影響で背景が暗くなるが、階調パッチの位置と色値が固定である。
【００５５】
図１０は、図１中の色紙補正部２７における色紙原稿を補正する処理を示すフローチャートである。図１１（ａ）〜（ｅ）は、色紙プロファイルの作成方法を説明するための図であり、同図（ａ）はＬａｂ系の中階調パッチの分布領域を示す例であり、同図（ｂ）は階調パッチから実測点のＬａｂを計算する方法を説明する図であり、同図（ｃ）は階調パッチの印刷原稿中パッチの並ぶ順番及び画像中の位置を表す図であり、同図（ｄ）は同図（ｃ）の順番に従って印刷された階調パッチのＬａｂ値をまとめたターゲット値テーブルの例を示す図であり、同図（ｅ）は色紙上の階調パッチ測定テーブルの例を示す図である。
【００５６】
図１１（ａ）〜（ｅ）を参照しつつ、図１０のフローチャートに沿って色紙原稿の補正処理について説明する。
【００５７】
色紙補正部２７の処理が開始されると、ステップＳＴ２１へ進む。ステップＳＴ２１において、色紙補正部２７は、データ保存部２３から階調パッチデータを取得し、階調パッチが印刷された順番に従ってターゲット値テーブル２３ｂを作成する。
【００５８】
図１１（ｄ）の階調パッチのターゲット値テーブル２３ｂにおける左側のＮｏは、図１１（ｃ）中のパッチの順番と一致する。階調パッチのターゲット値はデータ保存部２３で保存されている階調パッチデータ２３ａに基づき求めた値である。即ち、色紙に印刷させる元データである。
【００５９】
ステップＳＴ２２において、色紙補正部２７は、データ保存部２３から色紙上に印刷された階調パッチの読み取りデータを取得し、この読み取りデータから図１１（ｃ）の階調パッチの中心位置に基いて色紙上に印刷された階調パッチのＬａｂ値を求めて図１１（ｅ）のテーブルにまとめる。
【００６０】
ステップＳＴ２３において、色紙補正部２７は、データ保存部２３から読み取った色紙原稿画像を取得し、画像の左上から右下まで１画素ずつを移動して画素のＬａｂ値を取得し、ステップＳＴ２４へ進む。
【００６１】
ステップＳＴ２４において、ステップＳＴ２３で取得した色紙原稿画像中の画素が色紙補正されたか否かをチェックし、色紙原稿画像中の画素が全部色紙補正された場合（Ｙ）、ステップＳＴ２５へ進み、ステップＳＴ２５において、補正した色紙原稿画像を保存して操作を終了する。色紙原稿画像中の画素が補正されないと判定された場合（Ｎ）、ステップＳＴ２６に進む。
【００６２】
ステップＳＴ２６において、色紙補正部２７は、ステップＳＴ２３で取得した画素のＬａｂ値を図１１（ｅ）に示された色紙に印刷された階調パッチのＬａｂ値と比較する。比較結果が一致したら（一致）、ステップＳＴ２７へ進み、比較結果が一致しないと（不一致）、ステップＳＴ２８へ進む。
【００６３】
ステップＳＴ２７において、ステップＳＴ２６で取得画素のＬａｂ値が図１１（ｅ）の測定テーブル中のある階調パッチのＬａｂ値と一致すると判定したら、色紙階調部２７は、その一致する階調パッチの番号を記録し、図１１（ｄ）の階調パッチのターゲット値テーブル中に同じ番号の階調パッチのＬａｂ値を取得画素の色紙補正されたＬａｂ値として、ステップＳＴ２３へ戻る。
【００６４】
ステップＳＴ２８において、ステップＳＴ２６で取得画素のＬａｂ値が図１１（ｅ）の測定テーブル中の階調パッチのＬａｂ値と一致しないと判定したら、色紙補正部２７は、取得画素のＬａｂ値と近い階調パッチを見つけてＬａｂ軸における位置関係を求める。図１１（ａ）の例で、ＣＭＹＫの４つ端点で固まれた空間領域に黒い丸点が上記取得画素を表し、その周りの白い丸点が取得画素のＬａｂ値と近い値を持つ階調パッチを表している。丸点を拡大して表示すると図１１（ｂ）のようになる。
【００６５】
取得画素を表す黒い丸点のＬ値を求める方法を説明する。
色紙補正部２７は、取得画素のＬｘを図１１（ｅ）のテーブル中の階調パッチのＬ値と比較し、Ｌｘより大きいか小さいかによって２つグループ分ける。
【００６６】
この２つのグループの中の階調パッチから取得画素のＬｘと一番近い階調パッチを求める。図１１（ｂ）の中に１と２の白い丸点を求める。さらに上記取得画素のＬｘを中心に上記１と２の白い丸点がＬ軸での長さを求め、図１１（ｂ）中Ｌ１とＬ２を算出できる。
【００６７】
ステップＳＴ２９において、ステップＳＴ２８で求めた位置関係に基づいて上記取得画素のＬａｂ値を求める。上記の例で求めたＬ１とＬ２に基いて下記の式（１）によって取得画素のＬｘの値を求める。
Ｌｘ＝（Ｌｔ（ｘ１，ｙ１）−Ｌｔ（ｘ２，ｙ１））×（Ｌ２/（Ｌ１＋Ｌ２））
＋Ｌｔ（ｘ２，ｙ１）                                    ・・・（１）
【００６８】
ここで、Ｌｔ（ｘ１，ｙ１）は、１の白い丸点のＬ値を表し、Ｌｔ（ｘ２，ｙ１）は２の白い丸点のＬ値を表す。ａ値及びｂ値についても、Ｌ値と同様の方法で求められる。
以上の操作によって色紙補正された色紙原稿画像を求める。
【００６９】
図５中のステップＳＴ１０で補正された色紙原稿ＩＧを印刷し、補正された色紙原稿画像もデータ保存部２３で保存する。
【００７０】
（実施例１の効果）
本発明の実施例１の画像処理方法、画像形成方法及び画像形成装置によれば、原稿Ｇ上に形成された複数の画素からなる原稿画像を読み取って階調パッチデータを生成し、この階調パッチデータから原稿Ｇの媒体色を検出し、検出した媒体色に基づいて色紙データを作成して、色紙データに基づいて記録媒体ＫＢ上に媒体色を印刷すると共に、媒体色が印刷された記録媒体ＫＢに階調パッチデータに基づいて複数の画素を印刷する。更に、媒体色及び階調パッチデータが印刷された記録媒体ＫＢ上の階調パッチデータを読み取り、階調パッチデータと、記録媒体上に印刷された階調パッチの読み取り画像とに基づいて、原稿Ｇにおけるパッチ位置とパッチ位置のＬａｂ値との対応関係を表すターゲット値テーブル２３ｂを作成すると共に、階調パッチデータと、記録媒体ＫＢ上に印刷された階調パッチの読み取り画像とに基づいて、読み取られた階調パッチデータにおけるパッチ位置とパッチ位置におけるＬａｂ値との対応関係を表す階調パッチテーブル２３ｃを作成して、作成されたターゲット値テーブル２３ｂ及び階調パッチテーブル２３ｃに基づいて、原稿画像を補正して色補正原稿画像を作成するようにしている。これにより、色付き紙原稿に印刷された原稿画像を複写する場合、原稿媒体自体の媒体色の影響を受けずに、鮮明な画像を得ることができる。
【実施例２】
【００７１】
（実施例２の構成）
図１２は、本発明の実施例２における画像形成装置１０Ａの構成の概略を示すブロック図であり、実施例１を示す図１と共通の要素には共通の符号が付与されている。
【００７２】
実施例１に示された構成に色紙プロファイル保存部２８が追加されている。色紙プロファイル保存部２８は、複合機１０で色紙補正を行った色の付いた原稿Ｇの媒体色に関連付けられたターゲット値テーブル２３ｂ及び階調パッチテーブル２３ｃを色紙プロファイル２８ａとして記憶して保存しておくものである。実施例２のその他の構成は実施例１と同様である。
【００７３】
図１３は、図１２中の色紙プロファイル２８ａの例を示す図である。
色紙プロファイル２８ａは、色紙のＬａｂ値と、階調パッチのターゲット値と、色紙に印刷された階調パッチ値と、で構成されている。図１３の左側の欄に格納されている番号は、データの物理的な位置順を表し、右側の欄に各番号に対応するＬａｂ値が表示さている。
【００７４】
１番目からＮ番目までは図１１（ｃ）の階調パッチの配置順に従う階調パッチのターゲット値２８ｂが格納され、Ｎ＋１番目には保存されている色紙１のＬａｂ値が格納され、Ｎ＋２番目から２Ｎ＋１番目までは色紙１に印刷された階調パッチのＬａｂ値が格納され、２Ｎ＋１番目には既存色紙２のＬａｂ値が格納され、２Ｎ＋３番目から３Ｎ＋２番目までには色紙２に印刷された階調パッチのＬａｂ値が格納されている。
【００７５】
色紙プロファイル保存部２８は、紙色検出部２４で検出した紙色のプロファイルが保存されているかをチェックし、保存されていると判定したら保存されている紙色のプロファイルを色紙補正部２７Ａに送る。色紙プロファイル保存部２８は、検出された紙色のプロファイルが保存されていないと判定したら、紙色検出部２４に紙色プロファイルなしのコマンドを送る。紙色検出部２４は、紙色プロファイルなしのコマンドを受け取り、実施例１と同じ操作をする。
【００７６】
色紙プロファイル保存部２８には、色紙補正部２７Ａでの色紙補正の操作が終了した後に、新たに作成された色紙プロファイル２８ａが登録させる。
【００７７】
（実施例２の動作）
図１４は、本実施例２における画像処理を示すフローチャートであり、実施例１を示す図５と共通の要素には共通の符号が付されている。
【００７８】
図１４に示された実施例２のフローチャートは、図５に示されたフローチャートにステップＳＴ２０〜２２の処理が追加されている。
【００７９】
処理が開始されると、ステップＳＴ１へ進み、実施例１のステップＳＴ１及びＳＴ２の処理が行われ、ステップＳＴ２０へ進む。ステップＳＴ２０において、ステップＳＴ２にて検出した紙色を確認する。色紙プロファイル保存部２８は紙色検出部２４で検出した紙色をチェックし、同じ紙色のプロファイルを保存されている場合（Ｙ）、ステップＳＴ２１へ進み、ステップＳＴ２１において、色紙プロファイル保存部２８に保存されている色紙プロファイル２８ａからターゲット値テーブル２３ｂ及び階調パッチテーブル２３ｃを読み出し、ステップＳＴ９へ進む。
【００８０】
ステップＳＴ２０において、同じ色紙のプロファイルが保存されていない場合（Ｎ）、ステップＳＴ３へ進み、実施例１と同様のステップＳＴ３〜ＳＴ８の処理が実行され、ステップＳＴ８の処理の後に、ステップＳＴ２２へ進む。ステップＳＴ２２において、色紙原稿の媒体色に対応づけてターゲット値テーブル２３ｂ及び階調パッチテーブル２３ｃを色紙フロファイル２８ａとして、色紙プロファイル保存部２８に保存じ、ステップＳＴ９へ進む。
【００８１】
ステップＳＴ９において、実施例１と同様に、色紙補正部２７は、ターゲット値テーブル２３ｂ及び階調パッチテーブル２３ｃに基づいて、原稿画像を補正して色補正原稿画像を生成して画像形成部２６へ出力し、ステップＳＴ１０へ進む。ステップＳＴ１０において、画像形成部２６は、ステップＳＴ９で補正された色補正原稿画像をカセット２１にセットされた新しい記録媒体ＫＢ上に印刷して、印刷排出部２９へ出力する。
【００８２】
（実施例２の効果）
本発明の実施例２の画像処理方法、画像形成方法及び画像形成装置によれば、色紙補正処理が行われたときに作成された色紙プロファイル２８ａを保存蓄積し、以降、同じ色紙の原稿Ｇを補正する場合は、新たに色紙プロファイル２８ａを作成することなく、保存されている色紙プロファイル２８ａからターゲット値テーブル２３ｂ及び階調パッチテーブル２３ｃを読み出すようにしている。これにより、実施例１の効果に加え、色紙原稿における補正の処理時間を短縮することができる。
【００８３】
（変形例）
本発明は、上記実施例１、２に限定されず、種々の利用形態や変形例が可能である。この利用形態や変形例として、例えば、（ａ）、（ｂ）のようなものがある。
【００８４】
（ａ）  実施例１、２では、複合機を適用した例を説明したが、画像読取装置と画像形成装置が独立になるものにも適用可能である。
【００８５】
（ｂ）  実施例１、２では、ターゲット値テーブル２３ｂ及び階調パッチテーブル２３ｃに基づき原稿画像を補正して色補正原稿画像を得る演算は、式（１）よるとして説明したが、この演算は式（１）に限定されない。スキャナ１１により読み取られたＲＧＢ色空間のＲＧＢ値をＬａｂ色空間のＬａｂ値に変換し、Ｌａｂ色空間上で、原稿Ｇの媒体色と階調パッチを分離し、分離された媒体色に対し階調パッチが鮮明に見えるような補正を行う演算であれば良い。
【符号の説明】
【００８６】
１０，１０Ａ        画像形成装置
１１        スキャナ
１２        載置台
１３        イメージセンサ
１４        載置台カバー
１５        自動原稿給送装置
１５ｂ        原稿排出部
１６        オペレーションパネル
１６ａ        タッチパネルを兼ねた液晶ディスプレイ
１６ｂ        選択キー
１６ｃ        開始ボタン
２０        画像形成部
２１        カセット
２２        原稿読み取り部
２３        データ保存部
２３ａ        階調パッチデータ
２３ｂ        ターゲット値テーブル
２３ｃ        階調パッチテーブル
２４        紙色検出部
２５        色紙データ作成部
２７        色紙補正部
２８        色紙プロファイル保存部
２８ａ        色紙プロファイル
２９        印刷排出部
【図１】
2014049836.tif 000003
【図２】
2014049836.tif 000004
【図３】
2014049836.tif 000005
【図４】
2014049836.tif 000006
【図５】
2014049836.tif 000007
【図６】
2014049836.tif 000008
【図７】
2014049836.tif 000009
【図８】
2014049836.tif 000010
【図９】
2014049836.tif 000011
【図１０】
2014049836.tif 000012
【図１１】
2014049836.tif 000013
【図１２】
2014049836.tif 000014
【図１３】
2014049836.tif 000015
【図１４】
2014049836.tif 000016